【手続補正書】
【提出日】平成27年9月24日(2015.9.24)
【手続補正１】
【補正対象書類名】明細書
【補正対象項目名】００２２
【補正方法】変更
【補正の内容】
【００２２】
モノカルボン酸又はジカルボン酸の誘導体（Ｉａ）及び環状の形で存在するモノマー（Ｉｂ）−ここで、Ｚ＝Ｏ（酸無水物）又はＮＲ2（酸イミド）を表す−において、Ｒ1及びＲ2は、互いに無関係に、水素又は１〜２０個の炭素原子を有する脂肪族炭化水素基、好ましくはメチル基である。Ｙは、Ｈ、−ＣＯＯＭa、−ＣＯ−Ｏ（ＣqＨ2qＯ）r−Ｒ3、−ＣＯ−ＮＨ−（ＣqＨ2qＯ）r−Ｒ3である。Ｍは、水素、一価若しくは二価の金属カチオン、好ましくはナトリウムイオン、カリウムイオン又はマグネシウムイオン、さらに、アンモニウムイオン又は有機アミン基であり、並びにａは、Ｍが一価若しくは二価の金属カチオンかに応じて、１／２又は１である。有機アミン基として、好ましくは、第一級、第二級若しくは第三級Ｃ1-20−アルキルアミン、Ｃ1-20−アルカノールアミン、Ｃ5-8−シクロアルキルアミン及びＣ6-14−アリールアミン由来の置換されたアンモニウム基が用いられる。相応するアミンの例は、プロトン化された（アンモニウム）形におけるメチルアミン、ジメチルアミン、トリメチルアミン、エタノールアミン、ジエタノールアミン、トリエタノールアミン、メチルジエタノールアミン、シクロヘキシルアミン、ジシクロヘキシルアミン、フェニルアミン、ジフェニルアミンである。
【手続補正２】
【補正対象書類名】特許請求の範囲
【補正対象項目名】全文
【補正方法】変更
【補正の内容】
【特許請求の範囲】
【請求項１】
粉末状組成物であって、少なくとも１種の無機バインダーを包含する粉末を、
（Ｉ）カルボン酸、カルボン酸塩、カルボン酸エステル、カルボン酸アミド、無水カルボン酸及びカルボン酸イミドの群からの少なくとも１個の基を包含する少なくとも１種のエチレン性不飽和モノマーと、
（ＩＩ）ポリアルキレンオキシド基を有する少なくとも１種のエチレン性不飽和モノマー
とを包含するモノマーの混合物の重合によって得られる少なくとも１種のコポリマーを包含する、該組成物の全質量を基準として０．０１〜１０質量％の液状成分と接触させることによって製造可能な、ここで、該液状成分は、少なくとも１質量％の少なくとも１種のコポリマーと、少なくとも３０質量％の有機溶剤とを含有する、粉末状組成物。
【請求項２】
前記無機バインダーが、ポルトランドセメントベースのセメント、白色セメント、アルミン酸カルシウムセメント、スルホアルミン酸カルシウムセメント、硫酸カルシウムのｎ水和物及び潜在水硬性バインダー若しくはポゾラン性バインダーの群からの少なくとも１種のバインダーであることを特徴とする、請求項１記載の粉末状組成物。
【請求項３】
前記エチレン性不飽和モノマー（Ｉ）が、（Ｉａ）、（Ｉｂ）及び（Ｉｃ）の群からの下記一般式
【化１】
2014534150.tif 000001
［式中、
Ｒ1及びＲ2は、互いに無関係に、水素又は１〜２０個の炭素原子を有する脂肪族炭化水素基であり、
Ｙは、Ｈ、−ＣＯＯＭa、−ＣＯ−Ｏ（ＣqＨ2qＯ）r−Ｒ3、−ＣＯ−ＮＨ−（ＣqＨ2qＯ）r−Ｒ3であり、
Ｍは、水素、一価若しくは二価の金属カチオン、アンモニウムイオン又は有機アミン基であり、
ａは、１／２又は１であり、
Ｒ3は、水素、１〜２０個の炭素原子を有する脂肪族炭化水素基、５〜８個の炭素原子を有する脂環式炭化水素基、６〜１４個の炭素原子を有する、場合により置換されたアリール基であり、
ｑは、互いに無関係に、すべての（ＣqＨ2qＯ）単位について同じであるか又は異なっており、かつ２、３若しくは４であり、並びに
ｒは、０〜２００であり、
Ｚは、Ｏ、ＮＲ3である］、
【化２】
2014534150.tif 000002
［式中、
Ｒ4及びＲ5は、互いに無関係に、水素、１〜２０個の炭素原子を有する脂肪族炭化水素基、５〜８個の炭素原子を有する脂環式炭化水素基、又は６〜１４個の炭素原子を有する、場合により置換されたアリール基であり、
Ｑは、同じであるか又は異なっており、かつＮＨ、ＮＲ3又はＯによって表され、ここで、Ｒ3は、上で挙げた意味を有し、
Ｒ6は、同じであるか又は異なっており、かつｎ＝０、１、２、３又は４である（ＣnＨ2n）−ＳＯ3Ｈ、ｎ＝０、１、２、３又は４である（ＣnＨ2n）−ＯＨ；ｎ＝０、１、２、３又は４である（ＣnＨ2n）−ＰＯ3Ｈ2、ｎ＝０、１、２、３又は４である（ＣnＨ2n）−ＯＰＯ3Ｈ2、（Ｃ6Ｈ4）−ＳＯ3Ｈ、（Ｃ6Ｈ4）−ＰＯ3Ｈ2、（Ｃ6Ｈ4）−ＯＰＯ3Ｈ2及びｎ＝０、１、２、３又は４であり、かつｂ＝２又は３である（ＣnＨ2n）−ＮＲ8bによって表され、
Ｒ7は、Ｈ、−ＣＯＯＭa、−ＣＯ−Ｏ（ＣqＨ2qＯ）r−Ｒ3、−ＣＯ−ＮＨ−（ＣqＨ2qＯ）r−Ｒ3であり、ここで、Ｍa、Ｒ3、ｑ及びｒは、上で挙げた意味を有し、
Ｒ8は、水素、１〜１０個の炭素原子を有する脂肪族炭化水素基、５〜８個の炭素原子を有する脂環式炭化水素基、又は６〜１４個の炭素原子を有する、場合により置換されたアリール基である］の少なくとも１つによって表されることを特徴とする、請求項１又は２記載の粉末状組成物。
【請求項４】
前記エチレン性不飽和モノマー（ＩＩ）が、下記一般式
【化３】
2014534150.tif 000003
［式中、
ｐは、０〜６の整数であり、
ｙは、０又は１であり、
ｖは、３〜５００の整数であり、
ｗは、互いに無関係に、すべての（ＣwＨ2wＯ）単位について同じであるか又は異なっており、かつ２〜１８の整数であり、
ここで、Ｒ1、Ｒ2及びＲ3は、上で挙げた意味を有する］によって表されることを特徴とする、請求項１から３までのいずれか１項記載の粉末状組成物。
【請求項５】
前記一般式（ＩＩ）において、
ｐが、０〜４の整数であり、
ｘが、５〜５００の整数であり、
ｗが、互いに無関係に、すべての（ＣwＨ2wＯ）単位について同じであるか又は異なっており、かつ２又は３であることを特徴とする、請求項４記載の粉末状組成物。
【請求項６】
前記コポリマー中での前記モノマー（Ｉ）の割合が５〜９５モル％であることを特徴とする、請求項１から５までのいずれか１項記載の粉末状組成物。
【請求項７】
前記コポリマー中での前記モノマー（ＩＩ）の割合が１〜８９モル％であることを特徴とする、請求項１から６までのいずれか１項記載の粉末状組成物。
【請求項８】
前記有機溶剤が、エチルアセテート、ｎ−ブチルアセテート、１−メトキシ−２−プロピルアセテート、エタノール、ｉ−プロパノール、ｎ−ブタノール、２−エチルヘキサノール、１−メトキシ−２−プロパノール、エチレングリコール、プロピレングリコール、アセトン、ブタノン、ペンタノン、ヘキサノン、メチルエチルケトン、エチルアセテート、ブチルアセテート、アミルアセテート、テトラヒドロフラン、ジエチルエーテル、トルエン、キシレン若しくは高沸点アルキルベンゼン、ポリエチレングリコールエーテル若しくはポリプロピレングリコールエーテル若しくは２００〜２０００ｇ／モルの平均モル質量を有するエチレンオキシド／プロピレンオキシドのランダムコポリマー、モノエチレングリコール、ジエチレングリコール若しくはトリエチレングリコール、モノプロピレングリコール、ジプロピレングリコール若しくはトリプロピレングリコール、１、２、３個以上のエチレングリコール単位及び／又はプロピレングリコール単位を有するメチルポリアルキレングリコールエーテル、エチルポリアルキレングリコールエーテル、プロピルポリアルキレングリコールエーテル、ブチルポリアルキレングリコールエーテル若しくはより高級なアルキルポリアルキレングリコールエーテル、２００〜２００００ｇ／モルの分子量を有するグリセリンエトキシレート、ペンタエリスリトールアルコキシレート、エチレンカーボネート、プロピレンカーボネート、グリセリンカーボネート、グリセリンホルマール及び２，３−Ｏ−イソプロピリデングリセリンの群からの少なくとも１種の溶剤であることを特徴とする、請求項１から７までのいずれか１項記載の粉末状組成物。
【請求項９】
前記の少なくとも１種の本発明によるコポリマーが、前記液状成分中に少なくとも５０質量％の割合で溶解した形で存在することを特徴とする、請求項１から８までのいずれか１項記載の粉末状組成物。
【請求項１０】
５〜９９．５質量％の前記無機バインダーを含有することを特徴とする、請求項１から９までのいずれか１項記載の粉末状組成物。
【請求項１１】
前記モノマー（Ｉ）又は（ＩＩ）が、１６０〜１００００ｇ／モルの分子量を有するエチレンオキシド／プロピレンオキシドのランダムコポリマーを包含することを特徴とする、請求項１から１０までのいずれか１項記載の粉末状組成物。
【請求項１２】
プレミックス固練りモルタルが、殊に、レンガモルタル、下塗りモルタル、複合断熱システム用モルタル、修復用上塗り、目地モルタル、タイル接着剤、薄層モルタル、スクリード材料、グラウトモルタル、圧入モルタル、フィラー、シールスラリー又はライニングモルタルであることを特徴とする、請求項１から１１までのいずれか１項記載の粉末状組成物。
【請求項１３】
Ａ）少なくとも１個のカルボン酸官能基及び／又はカルボン酸塩を包含する少なくとも１種のエチレン性不飽和モノマー５０〜９５モル％並びに
Ｂ）式（ＩＩＩ）
【化４】
2014534150.tif 000004
［式中、
Ｒ9、Ｒ10及びＲ11は、互いに無関係に、水素又は１〜５個の炭素原子を有する脂肪族炭化水素基であり、
ｈは、０〜１５０の整数であり、
（ＣeＨ2eＯ）fは、エチレンオキシド／プロピレンオキシドのランダムコポリマーであり、ここで、プロピレンオキシド単位のモル割合は、エチレンオキシド単位及びプロピレンオキシド単位の合計を基準として１０〜３０％であり、ｆは、１０〜１５０の整数であり、かつｅは、２又は３である］の少なくとも１種のモノマー５〜５０モル％
を包含するモノマーの混合物の重合によって得られるコポリマー。
【請求項１４】
液状成分に溶解して存在し、ここで、該液状成分が、少なくとも１質量％の前記コポリマー及び少なくとも３０質量％の有機溶剤を含有することを特徴とする、請求項１３記載のコポリマー。
【請求項１５】
少なくとも３０質量％の有機溶剤、最大３０質量％の水、並びに
（Ｉ）カルボン酸、カルボン酸塩、カルボン酸エステル、カルボン酸アミド、無水カルボン酸及びカルボン酸イミドの群からの少なくとも１個の基を包含する少なくとも１種のエチレン性不飽和モノマーと、
（ＩＩ）ポリアルキレンエーテル基を有する少なくとも１種のエチレン性不飽和モノマー
とを包含するモノマーの混合物の重合によって得られるコポリマー
を包含する液状成分の製造法において、該モノマーの重合を水含有溶剤中で実施し、ここで、反応混合物全体の含水率が１０質量％より多く、重合生成物に有機溶剤を混ぜ、かつ水を除去することを特徴とする、製造法。
【請求項１６】
少なくとも３０質量％の有機溶剤、及び少なくとも１質量％の、
（Ｉ）カルボン酸、カルボン酸塩、カルボン酸エステル、カルボン酸アミド、無水カルボン酸及びカルボン酸イミドの群からの少なくとも１個の基を包含する少なくとも１種のエチレン性不飽和モノマーと、
（ＩＩ）ポリアルキレンエーテル基を有する少なくとも１種のエチレン性不飽和モノマー
とを包含するモノマーの混合物の重合によって得られるコポリマー
を包含する液状成分を、少なくとも１種の無機バインダーを包含する粉末の処理のために、水による該粉末の均一な分散を速めるために用いる使用であって、ここで、全質量を基準として０．０１〜１０質量％の該液状成分を用いる使用。